(57)【特許請求の範囲】
【請求項１】
プラスチックフィルムの両端辺部が合掌貼りされた背シール部及びこの背シール部と直交する端辺部の開口がシールされた端シール部を有する袋体の内部に被包装物を詰めて包装する包装袋において、
前記袋体は、前記背シール部が袋体の中央部又はこの中央部より両端いずれかの端部寄りに位置し、該背シール部の少なくとも一方の端部付近に、その長さ方向と直交する方向に引裂き部を形成して、前記背シール部が位置する袋体面の両端付近に前記背シール部と略平行に延びて該袋体面を開封させる開封カットラインを設け、さらに前記開封カットラインから前記背シール部の前記引裂き部に向かって開封させる誘導カットラインが延設されていることを特徴とする包装袋。
【請求項２】
前記袋体は、前記一方の端部付近から他方の端部に向かって所定の間隔をあけて前記引裂き部が複数形成されて、前記開封カットラインから前記背シール部の前記複数の引裂き部に向かって前記誘導カットラインの複数本が前記引裂き部の間隔と略同じ間隔で略平行に延びて形成されていることを特徴とする請求項１に記載の包装袋。
【請求項３】
前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分割されて、前記両カットラインは前記プラスチックフィルムの厚み方向の一部分のみをカットした未貫通溝で形成されていることを特徴とする請求項２に記載の包装袋。
【請求項４】
前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分断されて、前記両カットラインは複数本の短長のスリットを所定の間隔をあけて配設した非連続スリット群、又は連続スリットからなり、前記スリットは、前記プラスチックフィルムの一面から他面に向けて所定深さ凹ませ膨らませて底部を他表面から外方へ膨出させた未貫通の凹み部を有し、前記凹み部は、上方の開口部から底部に向かって肉厚を徐々に薄肉にして底部が最も薄肉に形成されていることを特徴とする請求項２に記載の包装袋。
【請求項５】
矩形状のプラスチックフィルムの一面上に中間層を介して、該フィルムの両端縁から所定距離離して外側シート材を積層した包装フィルム材を用いて、前記包装フィルム材を前記外側フィルム部分から折曲させて前記プラスチックフィルムの両端縁部を合掌貼りした背シール部及びこの背シール部と直交する端辺部に形成される開口を端シール部でシールした袋体の内部に被包装物を詰めて包装する包装袋において、
前記袋体は、前記背シール部が袋体の中央部又はこの中央部より両端いずれかの端部寄りに位置し、該背シール部の少なくとも一方の端部付近に、その長さ方向と直交する方向に引裂き部が形成されて、前記中間層には前記外側フィルム端縁辺から前記背シール部の前記引裂き部に向かって開封させる誘導カットラインが延設されていることを特徴とする包装袋。
【請求項６】
前記袋体は、前記外側フィルム端縁辺に開封カットラインが形成されていることを特徴とする請求項５に記載の包装袋。
【請求項７】
前記袋体は、前記一方の端部付近から他方の端部に向かって所定の間隔をあけて前記引裂き部が複数形成されて、前記外側フィルム端縁辺又は前記開封カットラインから前記背シール部の前記複数の引裂き部に向かって前記誘導カットラインの複数本が前記引裂き部の間隔と略同じ間隔で略平行に延びて形成されていることを特徴とする請求項５又は６に記載の包装袋。
【請求項８】
前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分割されて、前記両カットラインは前記プラスチックフィルムの厚み方向の一部分のみをカットした未貫通溝で形成されていることを特徴とする請求項７に記載の包装袋。
【請求項９】
前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分断されて、前記両カットラインは複数本の短長のスリットを所定の間隔をあけて配設した非連続スリット群、又は連続スリットからなり、前記スリットは、前記プラスチックフィルムの一面から他面に向けて所定深さ凹ませ膨らませて底部を他表面から外方へ膨出させた未貫通の凹み部を有し、前記凹み部は、上方の開口部から底部に向かって肉厚を徐々に薄肉にして底部が最も薄肉に形成されていることを特徴とする請求項７に記載の包装袋。
【発明の詳細な説明】
【技術分野】
【０００１】
この発明は、プラスチックフィルムからなる包装袋に係り、さらに詳しくは、袋体の開封を容易にし、開封後は、袋内の惣菜、ハンバーグなどを他の容器に移し替えせずに、そのまま受け皿として使用できる包装袋に関するものである。
【背景技術】
【０００２】
近年、餃子、ハンバーグなどの食材を冷凍した冷凍食品が急速に普及して来ている。これらの冷凍食品は、その殆どが所定形状の包装袋に袋詰めされて販売されて、消費者は電子レンジで解凍することによって、簡単に食することができるようになっている。これらに使用される包装袋は、多種多様なものが開発されているが、プラスチックフィルムを用いて製袋したものが主流となっている。この包装袋は、概ね、背シール部などに引裂き用のノッチを形成して、このノッチ部分ら引裂き開封して、袋内の食品などを簡単に取出すことができるようになっている。
【０００３】
代表的な包装袋が、例えば、下記特許文献１に紹介されている。図１５、図１６を参照して、この特許文献に記載された包装袋を説明する。なお、図１５は、この特許文献に記載された包装袋を示し、図１５Ａは包装袋の背面図、図１５Ｂは図１５ＡのXVＢ−XVＢ線の断面図、図１５Ｃは図１５Ａの包装袋を開封した状態の背面図、図１６Ａは他の包装袋の背面図、図１６Ｂは図１６Ａの包装袋を開封した状態の背面図である。
【０００４】
これらの包装袋２０、２０Ａは、電子レンジ用のものとなっている。これらの包装袋は、図１５Ｂにみられるように、基材層２１と、中間層２２と、シーラント層２３とが積層された矩形状のフィルムシートを用い、このフィルムシートを、シーラント層２３を内面にして合掌貼りした背シール部２４と、合掌貼りにより形成された筒状体の開口端部を封止した端部シール部２５とを形成して製袋したものとなっている。これらの包装袋は、背シール部２４が端部シール部２５に比べて低いシール強度で熱接着されており、中間層２２が一軸延伸フィルムからなり、その延伸方向が背シール部の長さ方向と直交している。この構成により、背シール部が端部シール部に比べて低いシール強度で熱接着されているので、端部シール部に比べて剥離が容易になる。そのために、電子レンジで袋体と共に食品を加熱すると、袋内で発生した蒸気の圧力が一定以上になると、背シール部が剥離して蒸気が放出されて袋体の破裂を防止できる。また、これらの包装袋は、図１５Ａ、図１６Ａにみられるように、背シール部２４の上下両端部付近に、背シール部２４の長さ方向と直角方向の切れ目２６が形成されている。この構成により、この切れ目をきっかけとして袋を左右に引裂くことが可能になり、袋体を左右に大きく開放し、開放した後の袋体を受け皿として食事などの際に利用できる。
【０００５】
さらに、他の包装袋２０Ａは、袋背面の左右両端部付近に、背シール部２４と平行に延びるハーフカットライン２７が形成されている。このハーフカットラインは、シートの厚み方向の一部分のみのカット、すなわち、基材層２１のみ或は基材層２１及び中間層２２を貫通させたものとなっている。この包装袋２０Ａによれば、包装袋の上端部付近において、切れ目２６をきっかけとして袋を左右に引裂いた後、ハーフカットライン２７に沿って縦方向に引裂くことができる。
【先行技術文献】
【特許文献】
【０００６】
【特許文献１】特開２００８−８１１９１号公報（段落〔００１６〕〜〔００２１〕、図１、図４）
【発明の概要】
【発明が解決しようとする課題】
【０００７】
上記特許文献１の包装袋によれば、背シール部の切れ目から袋体を左右に引裂くことによって、左右に大きく開封させることができる。しかしながら、この包装袋は、開封時に強い引裂き力が必要となり、大きな力で開封すると、開封した瞬間に勢い余って被包装物が外へ飛び出してしまう恐れがある。また、背シール部の切れ目から左右へ引裂いても想定した開封ラインに沿って開封させるのが極めて難しく、ランダムな開封口形状になり易くなり、そのために受け皿として使用する場合は、開封口縁が真っ直ぐに、綺麗に引裂かれずに不恰好な形状となり、見栄えが悪くデザイン性に欠けてしまうなどの課題が潜在している。
【０００８】
これらの包装袋のうち、包装袋２０は、左右への引裂きにより、この引裂きが袋体の両端辺縁へ到達する恐れがある。袋体の両端辺縁まで引裂かれると、被包装物が液体を含んでいると、液体が外へ流れ出して周辺を汚し、また、電子レンジで加熱したものであると、熱湯によって火傷させるなどの危険性がある。これに対して、包装袋２０Ａは、袋の両端付近にハーフカットラインが形成されているので、上記の包装袋のように両端辺縁まで引裂かれないように見える。しかしながら、実験の結果、ハーフカットラインに沿って開口させるのが極めて難しく、左右へ引裂くと、ハーフカットラインを超えて袋体の両端辺縁まで引裂かれてしまい、上記包装袋と同様の課題が顕在化する。特に、単層フィルムで製袋したものは、ハーフカットラインに沿って開口させることができず、ハーフカットラインを超えて袋体の両端辺縁まで引裂かれてしまうことが判明した。
【０００９】
上記特許文献１の包装袋は電子レンジ用であるが、このような包装袋は、冷凍食品に限らず、多種様々な食品、例えば、菓子、野菜、果物、刺身、肉、惣菜など、或はキムチ、漬物などの発酵食品などにも使用されている。これらの食品を包装するには、包装袋はこれらの食品を保存などするのに適した仕様のものでなければならない。例えば、生鮮野菜などは、鮮度を保った状態で消費者へ届けなければならないので、包装袋には、所定のガスバリア性及び通気性などが必要になり、また、キムチなどの発酵食品の包装袋も同様にガスバリア性及び通気性が必要になる。
【００１０】
生鮮野菜は、その種類によって必要とする酸素透過量が大幅に異なっている。例えば、レタス、葉ねぎ、ニラ、エリンギ、カット野菜（ミックス）、もやし、アスパラガス、ほうれん草などでは、それらの酸素透過量が大幅に異なる。また、キムチ、白菜漬物、ラッキョウ漬物が出すガス量もそれぞれ異なり、これらのガス透過量は野菜より多くなっている。
【００１１】
例えば、野菜を含む青果物は、収穫した後も呼吸をしている。すなわち、収穫された青果物は、青果物自体を修復するために圃場にあるときよりもより活発な呼吸をしている。しかしながら、この呼吸が活発になると、青果物の栄養分が消耗されて、成熟・老化がより急速に進行することになる。ところが、この青果物の包装は、通常、包装袋に詰めて、袋口を密封する密封包装となっている。この密封包装は、包装時に袋内に存在していた酸素が時間と共に費消されて無くなり、そのために袋内は酸素がほとんど存在しない嫌気状態となり、呼吸ができないため、青果物を腐敗させる原因となる。この青果物の呼吸に関して、酸素と二酸化炭素の割合は、概ね包装前（開封包装）の状態で酸素２０．９％、二酸化炭素０％となっているが、嫌気状態（呼吸できない）においては概ね酸素０％、二酸化炭素２０％以上となり、また後述の冬眠状態においては、酸素５〜１０％、二酸化炭素１５〜２０％が最適であると言われている。したがって、青果物の包装は、その青果物の呼吸量の違いによって袋のガス透過性をその青果物及び流通条件（特に温度）にあわせて調整する必要がある。
【００１２】
ＭＡ（Ｍｏｄｉｆｉｅｄ  Ａｔｍｏｓｐｈｅｒｅ）包装は、袋内の空気を青果物自らが行なう呼吸とのバランスにより、高濃度の二酸化炭素で且つ低濃度の酸素の雰囲気にして青果物が冬眠状態になるようにして、青果物の成長や劣化を遅らせて品質を長持ちさせる方法である。すなわち、この呼吸量をできるだけ低く抑えることによって、品質低下のスピードを遅らせて品質を保持させる方法である。このＭＡ包装には、一方向通気性の包装材が好ましいが、これまでの包装材にはこのような機能を持ったものがない。
【００１３】
また、食品によっては二重包装が行われている。この二重包装は、小型の内袋内に物品Ａを詰めて密封して、このＡ物品を詰めた内袋を大型外袋に入れて密封する二重包装となっている。この二重包装では、大型外袋に内袋の物品Ａと異なる物品Ｂを詰めることがある。これらの物品Ａ、Ｂは、通常、以下のものが入れられて包装されている。
（ｉ）内袋の物品Ａにお菓子などの食品、外袋の物品Ｂにアルコール、不活性ガス、香味料などの保存・香料剤
（ｉｉ）内袋の物品Ａにアルコール、香味料などの保存・香料剤、外袋の物品Ｂにお菓子などの食品
上記（ｉ）の二重包装は、外袋の物品Ｂが内袋内へ透過して入り込み、物品Ａの保存又は香り付けをし、また、上記（ｉｉ）の二重包装は、内袋の物品Ａが内袋を透過して外袋内へ入り込み、物品Ｂの保存又は香りを付けるものとなる。これらの二重包装において、上記（ｉ）の包装で内袋内の気体が透過して外袋へ逃げると、物品Ａの品質低下を招き、また、上記（ｉｉ）の包装で外袋内の気体が透過して内袋へ逃げると、物品Ｂの品質低下を招くことになる。したがって、このような二重包装において物品の品質を維持するためには、フィルムシートに一方向の気体透過性が必要となる。しかしながら、これまでのフィルムは、この観点から開発されたものはない
【００１４】
そこで、本発明は、これまでの従来技術が抱える課題を解決すると共に、上記の要求に基づいてなされたもので、本発明の目的は、予め定めた通りの開封ラインに沿って容易に開封できてこのラインを超えて引裂かれることがなく、開封後は見栄えのよい開封口形状を有する受け皿として使用できる包装袋を提供することにある。
【００１５】
本発明の他の目的は、上記の目的を有し、且つ、ＭＡ包装、キムチ、漬物類などのガス抜き包装及び電子レンジ用食品包装用などに好適な包装袋を提供することにある。
【課題を解決するための手段】
【００１６】
上記課題を解決するために、本発明の第１の態様の包装袋は、プラスチックフィルムの両端辺部が合掌貼りされた背シール部及びこの背シール部と直交する端辺部の開口がシールされた端シール部を有する袋体の内部に被包装物を詰めて包装する包装袋において、前記袋体は、前記背シール部が袋体の中央部又はこの中央部より両端いずれかの端部寄りに位置し、該背シール部の少なくとも一方の端部付近に、その長さ方向と直交する方向に引裂き部を形成して、前記背シール部が位置する袋体面の両端付近に前記背シール部と略平行に延びて該袋体面を開封させる開封カットラインを設け、さらに前記開封カットラインから前記背シール部の前記引裂き部に向かって開封させる誘導カットラインが延設されていることを特徴とする。
【００１７】
また、第２の態様の包装袋においては、前記袋体は、前記一方の端部付近から他方の端部に向かって所定の間隔をあけて前記引裂き部が複数形成されて、前記開封カットラインから前記背シール部の前記複数の引裂き部に向かって前記誘導カットラインの複数本が前記引裂き部の間隔と略同じ間隔で略平行に延びて形成されていることを特徴とする。
【００１８】
また、第３の態様の包装袋においては、前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分割されて、前記両カットラインは前記プラスチックフィルムの厚み方向の一部分のみをカットした未貫通溝で形成されていることを特徴とする。
【００１９】
また、第４の態様の包装袋においては、前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分断されて、前記両カットラインは複数本の短長のスリットを所定の間隔をあけて配設した非連続スリット群、又は連続スリットからなり、前記スリットは、前記プラスチックフィルムの一面から他面に向けて所定深さ凹ませ膨らませて底部を他表面から外方へ膨出させた未貫通の凹み部を有し、前記凹み部は、上方の開口部から底部に向かって肉厚を徐々に薄肉にして底部が最も薄肉に形成されていることを特徴とする。
【００２０】
上記課題を解決するために、本発明の第５の態様の包装袋は、矩形状のプラスチックフィルムの一面上に中間層を介して、該フィルムの両端縁から所定距離離して外側シート材を積層した包装フィルム材を用いて、前記包装フィルム材を前記外側フィルム部分から折曲させて前記プラスチックフィルムの両端縁部を合掌貼りした背シール部及びこの背シール部と直交する端辺部に形成される開口を端シール部でシールした袋体の内部に被包装物を詰めて包装する包装袋において、前記袋体は、前記背シール部が袋体の中央部又はこの中央部より両端いずれかの端部寄りに位置し、該背シール部の少なくとも一方の端部付近に、その長さ方向と直交する方向に引裂き部が形成されて、前記中間層には前記外側フィルム端縁辺から前記背シール部の前記引裂き部に向かって開封させる誘導カットラインが延設されていることを特徴とする。
【００２１】
また、第６の態様の包装袋においては、前記袋体は、前記外側フィルム端縁辺に開封カットラインが形成されていることを特徴とする。
【００２２】
また、第７の態様の包装袋においては、前記袋体は、前記一方の端部付近から他方の端部に向かって所定の間隔をあけて前記引裂き部が複数形成されて、前記外側フィルム端縁辺又は前記開封カットラインから前記背シール部の前記複数の引裂き部に向かって前記誘導カットラインの複数本が前記引裂き部の間隔と略同じ間隔で略平行に延びて形成されていることを特徴とする。
【００２３】
また、第８の態様の包装袋においては、前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分割されて、前記両カットラインは前記プラスチックフィルムの厚み方向の一部分のみをカットした未貫通溝で形成されていることを特徴とする。
【００２４】
また、第９の態様の包装袋においては、前記誘導カットラインは、前記開封カットラインから所定間隔で延出した複数本の短長な第１の誘導カットラインと、前記第１の誘導カットラインと所定距離離れて前記間隔と異なる間隔で前記背シール部側へ延びた長尺な第２の誘導カットラインとに分断されて、前記両カットラインは複数本の短長のスリットを所定の間隔をあけて配設した非連続スリット群、又は連続スリットからなり、前記スリットは、前記プラスチックフィルムの一面から他面に向けて所定深さ凹ませ膨らませて底部を他表面から外方へ膨出させた未貫通の凹み部を有し、前記凹み部は、上方の開口部から底部に向かって肉厚を徐々に薄肉にして底部が最も薄肉に形成されていることを特徴とする。
【発明の効果】
【００２５】
この発明の第１の態様の包装袋によれば、予め定めた通り開封カットラインに沿って容易に開封できて、この開封カットラインを超えて引裂かれることがなく、開封後は、見栄えのよい開封口形状を有する受け皿として使用可能な包装袋を提供できる。例えば、開封カットラインと誘導カットライン、及び両カットラインを繋いだ部分に枠などを印刷して置くと、この枠を開封口として開封させることができるので、開封後は見栄えがよい開封口を持った受け皿としての使用が可能になる。
【００２６】
また、第２の態様の包装袋によれば、任意の引裂き部から袋体を所望の大きさの開封口にして開封できる。
【００２７】
さらに、第３の態様の包装袋によれば、任意の引裂き部から袋体を所望の大きさの開口で確実に開封できる。すなわち、第１の誘導カットラインの長さを所定の長さ、例えば、隣接する第１の誘導カットラインの間隔と同じか、この間隔より若干長くすることにより、第２の誘導カットラインから直接開封ラインへ引裂かれず、隣接するいずれかの第１の誘導カットラインへ誘導さるので開口が確実になる。また、誘導カットライン及び開封カットラインは製袋前のフィルムに形成できるので、袋体の製造が容易になる。
【００２８】
さらにまた、第４の態様の包装袋によれば、誘導カットラインが開封カットラインから略直角に延設して、両カットラインが直接接続されて、カットラインの接続部が略Ｔ字接続となるので、開封の際に、引裂きが誘導カットラインから開封カットラインへスムーズにガイドされて、従来技術のように、開封カットラインを超えて引裂かれることがなくなる。また、両カットラインは、複数本の短長のスリットを所定の間隔をあけて配設した非連続スリット群、又は連続スリットからなり、これらのスリットは、プラスチックフィルムの一面から他面に向けて所定深さ凹ませ膨らませて底部を他表面から外方へ膨出させた未貫通の凹み部を有し、この凹み部は、上方の開口部から底部に向かって肉厚を徐々に薄肉にして底部が最も薄肉に形成されているので、凹み部の底部は、フィルム基材の肉厚から略極限（例えば３．０μｍ程度）まで薄肉化が可能となり、この薄肉化により気体透過度の範囲が拡大されて、広い分野への使用が可能になる。特に、野菜、発酵食品などの包装材並びに発酵食品用及び電子レンジ加熱用などの容器に使用して有用なものとなる。また、一方向からの気体の透過性がよく逆方向からの気体透過がし難くなるので、ＭＡ包装、二重包装などにも効果的なものとなる。
【００２９】
さらにまた、第５及び第６の態様の包装袋によれば、カットライン及び外側フィルム端縁辺に沿って容易に開封できて、この外側フィルム端縁辺を超えて引裂かれることがなく、開封後は、見栄えのよい開封口形状を有する受け皿として使用可能な包装袋を提供できる。
【００３０】
さらにまた、第７の態様の包装袋によれば、任意の引裂き部から袋体を所望の大きさの開封口にして開封できる。
【００３１】
さらにまた、第８の態様の包装袋によれば、任意の引裂き部から袋体を所望の大きさの開口で確実に開封できる。すなわち、第１の誘導カットラインの長さを所定の長さ、例えば、隣接する第１の誘導カットラインの間隔と同じか、この間隔より若干長くすることにより、第２の誘導カットラインから直接開封ラインへ引裂かれず、隣接するいずれかの第１の誘導カットラインへ誘導さるので開口が確実になる。また、誘導カットライン及び開封カットラインは製袋前のフィルムに形成できるので、袋体の製造が容易になる。
【００３２】
さらにまた、第９の態様の包装袋によれば、誘導カットラインが外側フィルム端縁辺又は開封カットラインから略直角に延設して、誘導カットラインが外側フィルム端縁辺又は開封カットラインと直接接続されて、その接続部が略Ｔ字接続となるので、開封の際に、引裂きが誘導カットラインから開封カットラインへスムーズにガイドされて、従来技術のように、外側フィルム端縁辺又は開封カットラインを超えて引裂かれることがなくなる。また、両カットラインは、短長スリット複数本を所定の間隔をあけて配設した非連続スリット群、又は連続スリットからなり、これらのスリットは、プラスチックフィルムの一面から他面に向けて所定深さ凹ませ膨らませて底部を他表面から外方へ膨出させた未貫通の凹み部を有し、この凹み部は、上方の開口部から底部に向かって肉厚を徐々に薄肉にして底部が最も薄肉に形成されているので、凹み部の底部は、フィルム基材の肉厚から略極限（例えば３．０μｍ程度）まで薄肉化が可能となり、この薄肉化により気体透過度の範囲が拡大されて、広い分野への使用が可能になる。特に、野菜、発酵食品などの包装材並びに発酵食品用及び電子レンジ加熱用などの容器に使用して有用なものとなる。また、一方向からの気体の透過性がよく逆方向からの気体透過がし難くなるので、ＭＡ包装、二重包装などにも効果的なものとなる。
【図面の簡単な説明】
【００３３】
【図１】図１は本発明の実施形態１に係る包装袋の背面図である。
【図２】図２Ａ、図２Ｂは図１のIIＡ−IIＡ線で切断した断面図である。
【図３】図３は図１包装袋の開封時の背面図である。
【図４】図４は図１の包装袋の一部分を示し、図４Ａは図１のIVＡ部分の拡大図、図４Ｂは図３のIVＢ部分の拡大図である。
【図５】図５Ａは包装袋を開封した状態の背面図、図５Ｂは包装袋を開封して取り外された包装袋の一部の背面図である。
【図６】図６は本発明の実施形態２に係る包装袋の背面図である。
【図７】図７は本発明の実施形態３に係る包装袋の背面図である。
【図８】図８は図７の包装袋の一部を示し、図８Ａは拡大背面図、図８は図８ＡのVIIIＢの拡大図である。
【図９】図９は本発明の実施形態４に係る包装袋を示し、図９Ａは背面図、図９Ｂは図９ＡのIXＢ−IXＢ線の断面図である。
【図１０】図１０は本発明の実施形態５の包装袋に使用するフィルム基材を示し、図１０Ａは平面図、図１０Ｂは図１０のXB部分の拡大図である。
【図１１】図１１は図１０ＡのXI−XI線の断面図である。
【図１２】図１２は図１０のフィルム基材を製造する製造装置の概要図である。
【図１３】図１３はスリットの気体の透過作用を説明するもので、図１３Ａはスリットの断面図、図１３Ｂは気体透過時のスリット形状の断面図、図１３Ｃは逆方向から気体透過時のスリット形状の断面図である。
【図１４】図１４は実施形態６の包装袋に使用するフィルムシートを示し、図１４Ａはフィルムシートの一部断面、図１４Ｂは包装袋の変形例に係るフィルムシートの一部断面である。
【図１５】図１５は従来技術の特許文献に記載された包装袋を示し、図１５Ａは包装袋の背面図、図１５Ｂは図１５ＡのXVＢ―XVＢ線の断面図、図１５Ｃは図１５Ａの包装袋を開封した状態の背面図である。
【図１６】図１６は同特許文献に記載された他の包装袋を示し、図１６Ａは包装袋の背面図、図１６Ｂは図１６Ａの包装袋を開封した状態の背面図である。
【発明を実施するための形態】
【００３４】
以下、図面を参照して本発明の実施形態を説明する。但し、以下に示す実施形態は、本発明の技術思想を具体化するための包装袋を例示するものであって、本発明をこれに特定することを意図するものではなく、特許請求の範囲に含まれるその他の実施形態のものにも等しく適応し得るものである。
【００３５】
図１〜図５を参照して、本発明の実施形態１に係る包装袋を説明する。なお、図１は本発明の実施形態１に係る包装袋の背面図、図２Ａ、図２Ｂは図１のIIＡ−IIＡ線で切断した断面図、図３は包装袋の開封を説明する背面図、図４は図１の包装袋の部分を示し、図４Ａは図１のIVＡ部分の拡大図、図４Ｂは図３のIVＢ部分の拡大図、図５Ａは包装袋を開封した状態の背面図、図５Ｂは包装袋を開封して取り外された状態の包装袋の一部の背面図である。
【００３６】
本発明の実施形態１に係る包装袋１は、図１に示す状態において、長手方向で対向する一対の長尺辺及びこの長手方向と直交する方向で対向する一対の短辺を有する帯状フィルムシートを用い、この帯状フィルムシートを長手方向の途中で互いに両端辺が接近するように折曲し、両端辺部を合掌させて背シールして筒状体を形成し、この筒状体の下方端辺部の開口を端シールし、上方端辺部を開口させた袋体で構成されている。なお、図１の包装袋は、袋体内に被包装物が詰められる前の状態を示したものとなっている。以下、帯状フィルムシート及びこのフィルムシートで製袋した包装袋の構成を詳述する。
【００３７】
フィルムシートは、ポリプロピレン（ＰＰ）、無延伸ポリプロピレン（ＣＰＰ）、一軸／二軸延伸ポリプロピレンフィルム（ＯＰＰ）、ポリエチレン（ＰＥ）（低密度／中／高密度ポリエチレン）、ポリエチレンテレフタレート（ＰＥＴ）、ナイロン（ＰＡ）などの単層、若しくは多層構造のプラスチックフィルムを使用する。その厚さは特に限定しないが、１５〜１００μｍの範囲が好ましい。なお、実施形態１の包装袋は、単層フィルムで製袋するのが好ましい。
【００３８】
包装袋１は、図１に示す状態で、所定の面積を有する帯状（矩形状）の底部１ａと、この底部の両端辺から内側へ互いに折り畳んだ一対の折畳み片１ｂ、１ｃと、それぞれの折畳み片１ｂ、１ｃの両端辺部１ｂ'、１ｃ'を互いに合掌させて貼りせた背シール部２と、この背シールで形成された筒状体の下方端辺部の開口を接合した端シール部３ａとを有し、筒状体の上方端辺部が開口４ａを有し内部に所定大きさの空間Ｓが形成された袋体となっている。上方の開口４ａは、内部へ被包装物が詰められた後にシールされて端シール部３ｂが形成される（図３参照）。また、被包装物が詰められた袋体は、底部１ａの外表面が表面となり、この底部の外表面に被包装物の説明などが印刷される。なお、以下の説明では、包装袋と袋体とは、同じものとして説明することがある。
【００３９】
袋体の折り畳み部１ａｂ、１ａｃは、図２に示すように、湾曲又はガセットにされたものとなっている。なお、これらの折り畳み部１ａｂ、１ａｃを平坦にして接合してもよい。また、一対の折畳み片１ｂ、１ｃは、底部と別体のシート材にして、周囲を接合してもよい。この接合は、フィルム材によって異なるが、ヒートシール（熱溶着）する。このヒートシールは、高周波或は超音波シール装置などを用いて行なう。
【００４０】
背シール部２は、折畳み片１ｂ、１ｃの両端辺部１ｂ'、１ｃ'を直線状に合掌貼りして、袋体の中央又はこの中央部より両折り畳み部のいずれかの端部寄りに位置している。また、この背シール部２は、上下端付近に引裂き部２１が形成されている。この引裂き部は、切り溝、ハーフカットなどで形成し、袋体の開封は、この引裂き部からの引裂きで開封する。ハーフカットにすると、後述するハーフカットラインと同一工程で形成できるので形成が容易になる。
【００４１】
背シール部２を端部シール部３に比べて低いシール強度で熱接着すると、電子レンジ用食品の包装に好適なものとなる。すなわち、背シール部が端部シール部に比べて剥離が容易になるので、電子レンジで食品を加熱したときに、袋内で発生した蒸気の圧力が一定以上になると、背シール部が剥離して蒸気が放出されて袋体の破裂を防止できる。
【００４２】
一対の折畳み片１ｂ、１ｃは、それらの両端付近、すなわち、折畳み部に近い位置に、背シール部２と略平行に延びて袋体面を引裂いて開封するハーフカットラインからなる開封カットライン５ａ、５ｂがそれぞれ設けられている。また、これらの折畳み片１ｂ、１ｃには、開封カットライン５ａ、５ｂから背シール部２の引裂き部２１に向かって同様のハーフカットラインからなる誘導カットライン６ａ、６ｂがそれぞれ延設されている。誘導カットライン６ａ、６ｂは、背シール部２に接近又は背シール部まで延設しているのが好ましい。開封カットライン５ａ、５ｂ及び誘導カットライン６ａ、６ｂと、両カットラインを繋いだ部分に枠などを印刷して置くと、この枠を開封口として開封させることができる。したがって、予め定めた枠ラインに沿って開封でき、開封後は見栄えのよい開封口形状となった受け皿としての使用が可能になる。
【００４３】
開封カットライン５ａ、５ｂと誘導カットライン６ａ、６ｂとは、図４Ａに示すように、誘導カットライン６ａが開封カットライン５ａから略直角に延設されて、両カットラインが直接接続されその接続部Ｊは略Ｔ字状に接続されている。両カットラインがＴ字接続されることによって、袋体の開封の際に、引裂きが誘導カットラインから開封カットラインへスムーズにガイドされて、従来技術のように開封カットラインを超えて引裂かれることがなくなる。なお、袋体を一軸延伸フィルムで形成すると、誘導カットラインへ沿った引裂きが容易になる。開封カットライン及び誘導カットラインは、シートの厚み方向の一部分のみをカットした未貫通溝（ハーフカット）で形成する。なお、多層構造フィルムでは、基材層のみを貫通、或は基材層及び中間層を貫通して形成する。
【００４４】
この包装袋１の開封は、まず、袋体を背シール部２の引裂き部２１の切れ目から引裂くと、引裂きは誘導カットライン６ａ、６ｂに沿って進行し、開封カットライン５ａ、５ｂへ到達する。（図３参照）。この引裂きが開封カットライン５ａ、５ｂに到達すると、誘導カットライン６ａ、６ｂと開封カットライン５ａ、５ｂとが接続点Ｊ（図４Ａ参照）で接続されているので、引裂きが接続点Ｊを経て開封カットライン５ａ、５ｂへ伝わり、一部分１ｂｃが袋体から外れて、開封口４ｂが形成される（図４Ｂ、図５参照）。したがって、この包装袋によれば、予め定めた通りに、誘導カットライン及び開封カットラインに沿って開封することができるので、開封時に被包装物を外部へ飛散させることがなく、開封後は、見栄えのよい開封口形状を有する受け皿としての使用が可能になる。また、開封口の開口枠を印刷しておくことにより、その枠に従い、誘導カットライン及び開封カットラインに沿って開封させることができる。
【００４５】
図６を参照して、本発明の実施形態２に係る包装袋を説明する。なお、図６は本発明の実施形態２に係る包装袋の背面図である。本発明の実施形態２に係る包装袋１Ａは、包装袋１の背シール部２に複数個の引裂き部２１〜２ｎを設けると共に、これらの引裂き部に対応させて複数本の誘導カットライン６ａ１〜６ａｎ、６ｂ１〜６ｂｎを左右に形成したものである。複数本の誘導カットラインは、略等間隔にして略平行に配設形成されている。この包装袋１Ａによれば、任意の引裂き部から袋体を所望の大きさの開口にして開封できる。
【００４６】
図７、図８を参照して、本発明の実施形態３に係る包装袋を説明する。なお、図７は本発明の実施形態３に係る包装袋の背面図、図８は図７の包装袋の一部を示し、図８Ａは拡大背面図、図８は図８ＡのVIIIＢ部分の拡大図である。
【００４７】
本発明の実施形態３に係る包装袋１Ｂは、図７、図８Ａに示すように、包装袋１Ａの左右の誘導カットラインを短長な第１の誘導カットライン５ａ１、５ｂ１と、長尺な第２の誘導カットライン６ａ１'〜６ａｎ'、６ｂ１'〜６ｂｎ'とに所定距離ｄ２離して分断するとともに、両カットラインの間隔ｄ１、ｄ３を異ならせて形成したものとなっている。これらの距離及び間隔は、例えば、距離ｄ２は０〜１０ｍｍ、ｄ１は２〜４ｍｍ、ｄ３は３〜１０ｍｍである。第１の誘導カットライン５ａ１、５ｂ１は、左右の開封カットライン５ａ、５ｂが背シール部２に向かって略直角に所定長さ延設したものとなっている。これらの第１の誘導カットライン５ａ１、５ｂ１は、その長さを短長にして、各開封カットライン５ａ、５ｂと同じ工程で形成される。
【００４８】
第２の誘導カットライン６ａ１'〜６ａｎ'、６ｂ１'〜６ｂｎ'は、第１の誘導カットライン５ａ１、５ｂ１と同じか、異なる浅溝のカットラインで形成してもよい。すなわち、袋体を一軸延伸フィルムで形成すると、第２の誘導カットラインへ沿った引裂きが容易になるので、浅溝ハーフカットでもよいことになる。第１の誘導カットライン５ａ１、５ｂ１及び第２の誘導カットライン６ａ１'〜６ａｎ'、６ｂ１'〜６ｂｎ'は、製袋前のフィルムに形成される。
【００４９】
この包装袋１Ｂは、包装袋１Ａと同様に背シール部２の任意の引裂き部から引裂かれる。任意の第２の誘導カットライン、図８に示すように、例えば、隣接する第１の誘導カットライン５ａ１の間に位置する第２の誘導カットライン６ａ３'に誘導されて引裂かれると、この引裂きが第１の誘導カットライン５ａ１側へ達する。この引裂きにより、第２の誘導カットライン６ａ３'はその先端部ａから図８Ｂに示す上下いずれか一方の第１の誘導カットライン５ａ１へ向かって引裂かれる。すなわち、先端部ａからｂ、ｃ方向へ引裂かれる。これらの引裂き方向ｂ、ｃは、引裂き部から第２の誘導カットラインへ加わる引裂き方向及び力によって決まり、いずれの方向へ引裂かれても、第１の誘導カットライン５ａ１に誘導された後に開封カットライン５ａに沿って引裂かれて開封される。
【００５０】
この引裂きに際し、ｄ方向への引裂き、すなわち開封カットライン５ａへ直接引裂かれることはなく、第２の誘導カットライン６ａ３'からの引裂きは，第１の誘導カットライン５ａ１に導かれることとなる。そのため、第１の誘導カットライン５ａ１の長さＬを隣接する第１の誘導カットライン５ａ１間の間隔ｄ１と同じか、この間隔ｄ１より若干長めされている。
【００５１】
この包装袋１Ｂによれば、包装袋１Ａと同様に任意の引裂き部から袋体を所望の大きさの開口で確実に開封でき、また、誘導カットライン及び開封カットラインは製袋前のフィルムに形成できるので、それらの形成が容易になる。
【００５２】
図９を参照して、本発明の実施形態４に係る包装袋を説明する。なお、図９は本発明の実施形態４に係る包装袋を示し、図９Ａは背面図、図９Ｂは図９ＡのIXＢ−IXＢ線の断面図である。
【００５３】
実施形態４に係る包装袋１Ｃは、複数枚のフィルムを積層した複合フィルムシートを用いて製袋したものである。この包装袋１Ｃは、所定長さの帯状フィルムからなる基材層７ａの一面上に中間層７ｂを介して、この基材層の両端縁から所定距離離して外側シート７ｃを積層した複合フィルムを用いて、この複合フィルムを外側シート部分から折曲させて基材層７ａの両端縁部７ａ'を合掌貼りした背シール部２及びこの背シール部と直交する端辺部に形成される開口を端シール部３ａ、３ｂでシールした袋体となっている。この袋体は、背シール部２が袋体の中央部又はこの中央部より両端いずれかの端部寄りに位置し、この背シール部の少なくとも一方の端部付近に、その長さ方向と直交する方向に引裂き部２１が形成されて、これらの引裂き部から誘導カットライン６ａ、６ｂが外側シート端辺に向かって形成されている。
【００５４】
基材層は、レーヨン、ＰＥＴ、ナイロン、ＯＰ、中間層はＰＰ、ＰＥ、外側シート７ｃは、紙、発泡材などを使用する。外側シート端辺には、開封カットライン５ａ、５ｂを設けるのが好ましい。なお、外側シート７ｃに用いられる紙、発泡材が厚い場合は、開封カットラインは省いてもよい。この場合は、外側シートの端辺が開封カットライン５ａ、５ｂと同様に引裂きをガイドする働きを有する。この包装袋も上記の包装袋１と同様の方法で開封でき、同様の作用効果を奏する。
【００５５】
図１０〜図１３図を参照して、本発明の実施形態５に係る包装袋を説明する。実施形態５に係る包装袋１Ｄは、実施形態１〜４の包装袋１〜１Ｃと開封カットライン及び誘導カットラインが異なるのみで、他の構成は同じになっている。そこで、この包装袋１Ｄの全体構成の図示を省略し、その説明は、実施形態１〜４の包装袋１、１Ａ、１Ｂ、１Ｃの説明を援用し、異なる構成を詳述する。
【００５６】
まず、図１０、図１１を参照して、フィルムシートに形成する開封カットライン及び誘導カットラインを説明する。なお、図１０Ａはフィルム基材を示し、図１は平面図、図１０Ｂは図１０ＡのVIIIＢ部分の拡大図、図１１は図１０ＡのXI−XI線の断面図である。
【００５７】
この包装袋は、開封カットライン及び誘導カットラインが包装袋１、１Ａ、１Ｂと同様に、開封を容易に且つ正確に開封する引裂開封作用とともに、気体を透過させる気体透過作用を兼ね備えたものとなっている。これらの開封カットライン及び誘導カットラインは、複数本の短長のスリット９を所定の間隔をあけて配設したスリット群９Ｌで構成されている。個々のスリットは、同じ構成を有し、帯状のフィルムシート８（以下、フィルム基材８ともいう）の長手方向に、一面から他面に向けて所定深さ凹ませ膨らませて底部が他表面から外方へ膨出した凹み部で構成されている。すなわち、この凹み部は、上方の開口部から底部に向かって肉厚が徐々に薄肉にして底部が最も肉薄に形成したものとなっている。
【００５８】
このフィルム基材８は、前述のフィルムシートか、或はＰＰ／ＰＥの共押出しフィルムシートなどを使用する。その厚さは、特に限定しないが、１５〜１００μｍの範囲が好ましい。その厚さが１５μｍより薄いとスリットの形成が難しく、しかも十分な強度が得られないことがある。また、１００μｍ以上を超えると加工が困難となる。したがって、フィルム基材の厚さは、これらの範囲内でフィルム樹脂の種類、用途などにより適宜選択される。
【００５９】
スリット９は、細溝からなる未貫通溝となっており、図１１に示すように、上方の開口溝９ａから底部に向かって側壁９ｂの肉厚が徐々に薄肉に山なり状に膨らませて、底部を他表面から外方へ膨出させ、しかも、この底部９ｃが最も肉薄となるようにし、断面形状が略Ｕ字状に形成されている。具体的には、図１０Ｂ、図１１に示すように、フィルム基材８の長手方向と直交する方向に幅長Ｗ、この長手方向に長さＬ'及び所定の深さを有している。幅長、長さ及び深さは、特に限定しないが、幅長さＷは１００〜５００μｍ、長さＬ'は１．２〜２．６ｍｍが好ましい。また、深さは、フィルム表面から計測して１．２〜２．２倍程度、これらの倍率でも、厚さの１．２〜２．２倍の深さにするのが好ましい。さらに、底部９ｃの最も薄い肉厚は、３μｍ〜７０μｍにするのが好ましい。なお、この肉厚は、単層、多層構造のフィルムのいずれも同じになっている。また、スリット群９Ｌの隣接するスリット間の間隔も特に限定されないが、１．５〜３．０ｍｍ程度が好ましい。したがって、このスリットは、フィルム樹脂の種類、用途などにより適宜選択される。
【００６０】
スリット９は、断面形状を略Ｕ字状にしたが、これに限定するものでなく、断面形状を他の形状、例えばＶ字状或はその他の形状にしてもよい。また、スリット群９Ｌは、所定長さのスリット複数本を非連続に配列したが、連続させてもよい。スリット及びスリット群は、それらの形状及び底部の肉厚を変更することによって、気体透過量を調整することができる。なお、スリットに代えて、凹み穴にしてもよい。
【００６１】
次に、図１２を参照して、フィルム基材の製造方法を説明する。なお、図１２Ａは図１０のフィルム基材を製造する製造装置の概略図、図１２Ｂは図１２ＡのXB部分の拡大図、図１２Ｂは図１２ＡのXII部分の拡大図である。
【００６２】
製造装置１０は、図１２Ａに示すように、フィルム基材８を前処理する前処理装置１１と、フィルム基材８にスリット９を形成するスリット形成装置１２とを備えている。前処理装置１１は、フィルム基材８を該基材のガラス転移点を超え、且つ融点未満の温度になるように処理する温度調節装置となっている。
【００６３】
この前処理装置１１での温度調節は、フィルム基材にスリットを形成するのに重要となっている。フィルム基材８は、プラスチックフィルム、すなわち、高分子材料からなり、この高分子材料は、低温下において結晶部分と非結晶部分とが共存した状態にあり、分子運動が小さいガラス状態となっている。この状態から加熱されて温度が上がると分子運動が大きくなってゴム状態となり、更に加熱されると溶けた溶融状態となる。ガラス状態からゴム状態へ移行する境目がガラス転移点、ゴム状態から溶融状態になる境目が融点となっている。したがって、ガラス転移点を超える温度にフィルム基材を加熱して柔らかくすることによって、スリットを山なりにしかも底部を最も薄く圧延できる。また、この温度では、ガスバリア性を保ったままで圧延することができるので、フィルムの特性を損なわずに薄肉にしたスリットを形成できる。また、ピンホールなどがないスリットを形成できる。
【００６４】
ガラス転移点及び融点は、フィルム基材の素材によって異なる。フィルム基材にＰＰを使用する場合、ＰＰのガラス転移点はマイナス１８℃で融点は１６３℃となっているので、前処理装置１１において常温より高い温度の４０〜１２０℃の間に調節する。以下、同様にして、ＰＥＴは、ガラス転移点が８１℃で融点は２６４℃となっているので、温度を約８５〜２００℃の間、ＬＤＰＥは、ガラス転移点が−１２５℃で融点が１１５℃となっているので、常温より高い温度２０〜１００℃に調節する。また、ＰＥＴとＬＤＰＥをラミネートした多層構造フィルムでは、温度８５〜１００℃の範囲に調節する。
【００６５】
ＰＰ、ＰＥは、常温では既にガラス転移点を超えているが、融点は１９０℃であるので、その範囲で加工の度合いを調整することとなる。同じ基材でも、ガラス転移点を超え、融点未満の範囲で温度によってフィルムの柔らかさが異なるため、次のスリット形成装置において、軽い押圧でも温度を上げることによって容易にスリットが形成できる。
【００６６】
スリット形成装置１２は、外周囲に所定間隔をあけて複数本のスリット形成歯１３が配設された円板状の押圧ロール１２Ａと、この押圧ロールとの間でフィルム基材８を挟み込む受けロール１２Ｂとを有している。押圧ロール１２Ａは所定の直径、肉厚及び硬度を有する金属性の円板状の歯車で形成されており、軸１２ａを中心に回転し、スリット９を形成しながらフィルム基材８をＸ方向へ送り出す。複数本のスリット形成歯１３は、図１２Ｂに示すように、所定ピッチｐ及び高さｈを有する略鋸歯状の歯となっている。このスリット形成歯１３は、底部１３ａに所定のＲ１及び頂部先端１３ｂにＲ２のＲが付けられている。ピッチｐは特に限定されないが、本実施形態においては２．０９４ｍｍ、高さｈは２．０ｍｍとなっている。Ｒ２は、０．０５〜１．０ｍｍの範囲であり、この範囲でも０．１〜０．２ｍｍが好ましい。０．１ｍｍ以下にすると、機械的摩耗が激しいとフィルム基材に傷がつきピンホールがあきやすくなる。１．０ｍｍ以上にすると押圧する面積を広くできる。また、Ｒ１は、０．５とする。なお、ピッチを零にして連続した歯にしてもよい。この場合は、十分な押圧力を確保するために幅長を狭くする。すなわち、連続させると歯数が多くなり、その結果、単位面積が大きくなるため全体の押圧力が小さくなってしまうので、幅長を狭め、面積を小さくすることで所望の押圧力を確保する。
【００６７】
押圧ロール１２Ａは円板状の歯車にしたが、ロール状、すなわち円筒体、円柱体にしてもよい。ロール状にすることにより、長いスリット及び連続したスリットを形成できる。スリット形成歯を設けた歯車は、特に限定されないが、例えば平歯を設けた歯車を使用するのが好ましい。この平歯は、平面視で長方形をなし、長さが１．５〜２．６ｍｍ、幅長は３０〜５００μｍ、及び立面視でフィルムの厚さに対して１．２〜２．４倍のものを使用する。この平歯を使用すると、フィルム基材の総厚５０μｍとすると、このフィルム基材の底から計測して、山の頂点までは６０〜１２０μｍとなる。この度合いは透過させたいガス量によって決める。
【００６８】
受けロール１２Ｂは、押圧ロール１２Ａと同様に、軸１２ｂに中心に回転しながら、押圧ロール１２Ａによってフィルム基材８にスリット９が形成される際の押圧を受け、フィルム基材８をＸ方向へ送り出す。押圧ロール１２Ａは、その硬度を６３〜６７とし、受けロール１２Ｂより低い硬度の金属材料で形成する。受けロール１２Ｂは、所定の直径及び硬度を有する金属性の円筒体、円柱体で形成されており、硬度は６０〜６３にする。押圧ロール１２Ａは、その硬度を受けロール１２Ｂの硬度より低くすることによって、受けロール１２Ｂが押圧ロール１２Ａによって押圧を受ける際に例えば１００万ｍ加工しても削られることがない。
【００６９】
この製造装置１０は、フィルム基材８を前処理装置１１でガラス転移点を超える温度に処理して、スリット形成装置１２に送り、このスリット形成装置１２で所定温度となったフィルム基材８を押圧ロール１２Ａと受けロール１２Ｂとの間に挟み込んで、押圧ロール１２Ａに所定の押圧力をかけてフィルム基材８を圧延してスリットを形成する（図１２Ｃ参照）。このスリットは、フィルム基材の種類、その厚さに応じて、その基材の前処理温度及び押圧ロールの押圧力を調節して形成する。このスリットは、底部を薄くすると、薄くなった分だけ気体透過度が高くなるが、一方で、強度が低下する。その度合いは、前処理温度或は押圧力の少なくともいずれか一方で調節して決める。例えば、フィルム基材のガラス転移点が５０℃で融点が１２５℃であるとすると、前処理温度を６００℃或は１２０℃にすると、前者より後者が柔らかくなり、一方で押圧力は前者より後者が軽い押圧力で形成ができることになる。この押圧度は、例えば０〜０．５ＭＰａの間で調整され、特に０．２ＭＰａ前後が好ましい。なお、０．５Ｍｐａは５ｋｇ／平方センチメートルである。
【００７０】
この製造装置１０では、用途に応じてフィルム基材８の前処理温度及び押圧ロールの押圧力を調節して、それぞれの用途に適合するスリットを形成する。例えば、野菜包装では、厚さ２５μｍのＯＰＰ防曇フィルムの単体フィルムを用い、このフィルムに凹み部を袋内側から形成し、凹み部の最低厚さを約３μｍにする。野菜によってはこの押圧度合を異ならせて、例えば、小松菜では０．２ＭＰａで押圧し、ピッチ２ｍｍの平歯で押圧する部分の形状を長方形で長さ２ｍｍ×幅２００μｍにする。袋体の大きさ２００ｍｍ×３２０ｍｍに対しては、スリット群は横一列だけにする。
【００７１】
図１３を参照して、スリットの気体透過作用を説明する。なお、図１３はスリットの気体透過作用を説明する図であって、図１３Ａはスリットの断面図、図１３Ｂは気体透過時のスリット形状の断面図、図１３Ｃは逆方向からの気体透過時のスリット形状の断面図である。
【００７２】
フィルム基材８を用いて所定大きさの包装袋を作成し、この包装袋に物品を収納する際にこの物品から気体（蒸気など）が放出されて包装袋内に圧力が掛かる例でこの透過作用を説明する。図１３Ａのスリット９は、内圧が掛かっていない状態となっている。なお、この図１３Ａは、図１１と同じものとなっている。このスリット９に矢印Ａ方向から内圧が掛かると、図１３Ｂに示すように、その圧力によりスリットの底部が延伸、膨張して風船状に膨らんでその肉厚がさらに肉薄になって、この肉薄部分９ｃ１から気体が透過する。このスリット９は、その気体透過が従来技術のスリットに比べて、透過量の調節が容易になると共に、他の作用効果を奏するものとなる。具体的には、従来技術の凹み穴は、底部の肉厚が略均一になっているので、極限まで薄肉にできず、現在の加工技術では８μｍ程度が限度であるが、このスリット９は、略極限（３．０μｍ程度）まで薄肉にできるので、透過量の調節が容易になる。
【００７３】
また、図１３Ｃに示すように、逆方向から圧力が掛かると、スリットの底部９ｃ２が逆方向へ押圧されるが、気体透過量が図１３Ｂの方向に比べて格段に少なくなる。この現象は、実験により確認されており、開口側からの透過量を１０とすると逆方向からの透過量は１〜２程度となった。その結果、フィルム基材８は、一方向からの気体の透過性がよく逆方向からの気体透過性がし難くなるので、例えば、ＭＡ包装或は二重包装などに使用すると顕著な作用効果を奏する。すなわち、ＭＡ包装には、フィルム基材の開口溝が内側、底部が外側に位置するようにして包装袋を作成して使用する。また、二重包装は、詰める物品に応じて、フィルムの開口溝が内側又は外側、底部が外側又は内側になるようにして包装袋を作成して使用する。例えば、アルコールガス透過のお菓子包装は、外袋と数多くの内袋があり外袋内にアンチモールド（アルコールガスを発生させるもの）を入れ内袋に外側から押圧山なり加工する。そうするとアルコールガスが数多い内袋の中に入っていく。外袋はガスバリア性のある袋になっており、内袋はＯＰＰ単体２０μｍのフィルムを用い、その袋の大きさは５０ｍｍ×７０ｍｍにする。
【００７４】
この実施形態の包装袋によれば、凹み部の底部をフィルム基材の肉厚から略極限（例えば３．０μｍ程度）まで薄肉化が可能となり、この薄肉化により気体透過度の範囲が拡大されて、広い分野への使用が可能になる。特に、野菜、発酵食品などの包装材並びに発酵食品用及び電子レンジ加熱用などの容器に使用して有用なものとなる。また、一方向からの気体の透過性がよく逆方向からの気体透過がし難くなるので、ＭＡ包装、二重包装などにも効果的なものとなる。
【００７５】
図１４を参照して、本発明の実施形態６に係る包装袋を説明する。実施形態６に係る包装袋は、実施形態５の包装袋のフィルムシートを積層した構成が異なるのみで、他の構成は同じになっている。そこで、この包装袋の全体構成の図示を省略し、その説明は、上記実施形態の包装袋の説明を援用して異なる構成を詳述する。なお、図１４は実施形態６の包装袋１Ｅに使用するフィルムシートを示し、図１４Ａは包装袋１Ｅ用フィルムシートの一部断面、図１４Ｂは包装袋１Ｅの変形例に係るフィルムシートの一部断面である。実施形態３の包装袋１Ｄは、フィルムシートが２層構造のもので製袋したものとなっている。なお、包装袋１Ｅは、図示が省略されている。
【００７６】
フィルムシート１４は、スリット９を設けたフィルム基材８のスリットの膨出側に他のフィルム１６を接着剤１５で接合したものである。スリットは、上方の開口溝９ａから底部に向かって肉厚が徐々に薄肉に山なり状に膨らませて、底部を他表面から外方へ膨出させて、しかも、この底部９ｃが最も肉薄となるようにし、断面形状が略Ｕ字状或はＶ字状に形成されている。なお、このスリットは、スリット９と同じ構造になっている。スリット９を設けたフィルム基材８のスリットの膨出側に、他のフィルム１６を接着剤１５で接合する。接着するフィルムの組み合わせ例として、フィルム基材８にＰＥ、フィルム１６にＰＡ、ＰＡＴを使用する。ガスバリア性の高いＰＡ、ＰＥＴに良好なシール機能を有するＰＥを接着することにより、高いガスバリア性とシール性を併せもった包装袋となる。製造装置は、製造装置１０にフィルム接合装置を付加したものなっている。この包装袋は、電子レンジ加熱用に好適なものとなる。すなわち、この包装袋に食品を詰めて開口をシールし、電子レンジで加熱すると、食品から蒸気が発生し袋内の内圧が上昇し、スリットから水蒸気が透過する。このとき、スリットから透過した水蒸気がフィルム８とフィルム１６の間」の接着剤１５を剥がしてこの隙間かに溜まり、フィルム１６が裂けるか、両フィルム間の隙間を通って、外部へ放出される。これにより、包装袋の破裂を防止できる。
【００７７】
フィルムシート１４Ａは、スリット９を設けたフィルム８のスリットの凹み側に他のフィルムを接着剤で接合したものである。スリット９を設けたフィルム基材８のスリットの凹み側に、他のフィルム１９を接着剤１８で接合する。この包装袋も電子レンジ加熱用に好適なものとなる。これら実施形態の包装袋は、ハーフカットラインに気体透過性のスリットを設けたが、他の箇所、例えば袋体の表裏面の一方又は双方にこのようなスリットを設けてもよい。これにより、気体透過度を調節できるので、多種多様なものを包装することが可能になる。
【符号の説明】
【００７８】
１、１Ａ、１Ｂ、１Ｃ、１Ｄ、１Ｅ    包装袋
２                              背シール部
２１                            引裂き部
３ａ、３ｂ                      端シール部
４                              開口
４ｂ                            開封口
５ａ、５ｂ                      開封カットライン
５ａ１、５ｂ１                  第１の誘導カットライン
６ａ、６ｂ、６ａ１〜６ａｎ、６ｂ、６ｂ１〜６ｂｎ      誘導カットライン
６ａ１'〜６ａｎ'、６ｂ１'〜６ｂｎ'      第２の誘導カットライン
７ａ                            フィルム基材
７ｂ                            中間接着層
７ｃ                            外側シート材
８                              フィルム基材
９                              スリット
９ａ                            開口溝
９Ｌ                            スリット群
１０                            製造装置
１１                            前処理装置
１２                            スリット形成装置
１２Ａ                          押圧ロール
１２Ｂ                          受けロール
１３                            スリット形成歯
１４、１４Ａ                    フィルムシート
１６、１９                      フィルム
１５、１８                        接着剤
【図１】
0005527891.tif 000002
【図２】
0005527891.tif 000003
【図３】
0005527891.tif 000004
【図４】
0005527891.tif 000005
【図５】
0005527891.tif 000006
【図６】
0005527891.tif 000007
【図７】
0005527891.tif 000008
【図８】
0005527891.tif 000009
【図９】
0005527891.tif 000010
【図１０】
0005527891.tif 000011
【図１１】
0005527891.tif 000012
【図１２】
0005527891.tif 000013
【図１３】
0005527891.tif 000014
【図１４】
0005527891.tif 000015
【図１５】
0005527891.tif 000016
【図１６】
0005527891.tif 000017